(57)【特許請求の範囲】
【請求項１】
カートリッジ内に収納されたディスク状記録媒体を装置内のターンテーブル上に担持せしめる機構を備えるディスクプレーヤであって、
前記カートリッジに設けられたシャッターのスライド方向と略平行な方向に前記カートリッジを搬送するカートリッジ搬送機構と、
前記ターンテーブルを有して前記ディスク状記録媒体をこのターンテーブル上に担持すべく回動し、その回動軸が前記カートリッジを搬送する方向と略平行な方向の軸である回動シャーシとを備えたことを特徴とするディスクプレーヤ。
【請求項２】
カートリッジ内に収納されたディスク状記録媒体を装置内のターンテーブル上に担持せしめる機構を備えるディスクプレーヤであって、
前記カートリッジを搬送するカートリッジ搬送機構と、
前記ターンテーブルを有して前記ディスク状記録媒体をこのターンテーブル上に担持すべく回動し、その回動軸が前記カートリッジを搬送する方向と略平行な方向の軸である回動シャーシとを備えたことを特徴とするディスクプレーヤ。
【請求項３】
前記カートリッジ搬送機構と前記回動シャーシの駆動機構との駆動源は単一であることを特徴とする請求項１または２に記載のディスクプレーヤ。
【請求項４】
前記カートリッジ搬送機構は前記カートリッジに係合してこれを搬送するキャリアを備え、
前記回動シャーシの駆動機構は前記回動シャーシに係合してこれを回動する駆動プレートを備え、
前記キャリアと前記駆動プレートとは前記駆動源により駆動される単一の駆動ギアに噛合いしていることを特徴とする請求項３記載のディスクプレーヤ。
【請求項５】
前記回動軸は前記カートリッジ搬送機構により搬送されるカートリッジの中心よりも一側部側に設けられ、
前記駆動プレートと前記回動シャーシとの係合部分は他側部側に設けられていることを特徴とする請求項４記載のディスクプレーヤ。
【請求項６】
前記回動シャーシの他側部側に、係合ピンを設け、
前記駆動プレートには、前記回動シャーシに設けた係合ピンが係合可能な傾斜溝を設けると共に、前記回動シャーシの回動方向と略直角な方向に往復動可能として、前記駆動プレートの往復動に伴って、前記回動シャーシの係合ピンが前記駆動プレートの傾斜溝に沿って上下動することによって、前記回動シャーシが前記カートリッジホルダに対して回動するようにしたことを特徴とする請求項５記載のディスクプレーヤ。
【発明の詳細な説明】
【０００１】
【発明の属する技術分野】
本発明は、ディスクプレーヤに関し、更に詳しくは、ディスク状記録媒体を収納したカートリッジのローディング形態を改良したディスクプレーヤに関するものである。
【０００２】
【従来の技術】
従来、ディスク状記録媒体をローディングして、記録・再生するディスクプレーヤには、いろいろなローディング形態のものが提案されている。
そのなかで、特にディスク状記録媒体を収納したカートリッジをローディングするディスクプレーヤに採用されているものは、図１１（ａ）に示すように、カートリッジＢをディスクプレーヤＡ内のカートリッジホルダＣの所定位置まで引き込むカートリッジ搬送機構Ｄと、上記カートリッジホルダＣを降下させて、その先に位置させた記録・再生用サーボメカＥに対してクランパさせるようにした昇降機構Ｆとを、備えたものである。
また、その他の例として、図１１（ｂ）に示すように、カートリッジＢをディスクプレーヤＡ’内のカートリッジホルダＣの所定位置まで引き込むカートリッジ搬送機構Ｄと、上記カートリッジＢの搬送方向の下方位置にあって、搬送方向に対して略直交方向（紙面に垂直な方向）に回動軸（支点）Ｇを設けて、この回動支点Ｇを中心に回動する記録・再生用サーボメカＥ’を円弧運動させて、上記カートリッジホルダＣにクランパさせるようにした回動機構Ｈとを、備えたディスクプレーヤＡ’もある。
現時点では、サーボメカを昇降させる機構のほとんどは、上述したディスクプレーヤＡ’のような軸方式を採用している。
【０００３】
【発明が解決しようとする課題】
ところで、上記に示した従来のディスクプレーヤＡには、次のような不具合がある。
上記カートリッジ搬送機構Ｄと上記昇降機構Ｆ、ならびにこれら機構を駆動するための構造が大型化してしてしまい、それに伴ってコストの上昇を招いていた。
つまり、カートリッジＢを引き込むためのカートリッジ搬送機構Ｄを備えたカートリッジホルダＣを、録音・再生用サーボメカＥに対して昇降移動させるには、特に昇降機構Ｆを大型化して対処しなければならなかった。そのため、上記カートリッジ搬送機構Ｄの動作部品と昇降機構Ｆの動作部品とが大型化してしまうと共に、各動作部品が分散してしまう傾向があるので、ディスクプレーヤＡが大型化してしまい、製造コストの上昇は否めなかった。
【０００４】
また、上記に示したディスクプレーヤＡ’には、次のような不具合がある。
上記カートリッジ搬送機構Ｄと上記回動機構Ｈとを駆動するための構造が大型化してしまうことに伴って、部品の分散化、複雑化、及び部品点数が増加してしまい、製造コストの上昇を招いていた。
つまり、記録・再生用サーボメカＥ’の回動支点Ｇは、カートリッジローディング方向に対して略直交する方向に設けられているので、カートリッジホルダＣの略垂直方向に、記録・再生用サーボメカＥ’が回動するようになっている。
しかし、上記カートリッジ搬送機構Ｄを備えたカートリッジホルダＣに対して、上記記録・再生用サーボメカＥ’が回動してクランプすることから、上記カートリッジ搬送機構Ｄと回動機構Ｈとを作動させるには、それぞれの動作部品を大型化しなければならなかった。
そのため、動作部品の大型化に伴って、構成部品の分散化と複雑化と部品点数の増加がどうしても避けられず、製造コストが上昇してしまった。
【０００５】
本発明の目的は、上記従来のディスクプレーヤにおける問題に鑑み、ローディング機構の構造の簡素化を図ると共に、動作部品を削減して低コストに構成したディスクプレーヤを提供することにある。
【０００６】
【課題を解決するための手段】
前述の目的を達成するために、本発明のうち請求項１記載の発明は、カートリッジ内に収納されたディスク状記録媒体を装置内のターンテーブル上に担持せしめる機構を備えるディスクプレーヤであって、前記カートリッジに設けられたシャッターのスライド方向と略平行な方向に前記カートリッジを搬送するカートリッジ搬送機構と、前記ターンテーブルを有して前記ディスク状記録媒体をこのターンテーブル上に担持すべく回動し、その回動軸が前記カートリッジを搬送する方向と略平行な方向の軸である回動シャーシとを備えたことを特徴としている。また、請求項２記載の発明は、カートリッジ内に収納されたディスク状記録媒体を装置内のターンテーブル上に担持せしめる機構を備えるディスクプレーヤであって、前記カートリッジを搬送するカートリッジ搬送機構と、前記ターンテーブルを有して前記ディスク状記録媒体をこのターンテーブル上に担持すべく回動し、その回動軸が前記カートリッジを搬送する方向と略平行な方向の軸である回動シャーシとを備えたことを特徴としている。
【０００７】
請求項３記載の発明は、前記カートリッジ搬送機構と前記回動シャーシの駆動機構との駆動源は単一であることを特徴としている。
【０００８】
請求項４記載の発明は、前記カートリッジ搬送機構は前記カートリッジに係合してこれを搬送するキャリアを備え、前記回動シャーシの駆動機構は前記回動シャーシに係合してこれを回動する駆動プレートを備え、前記キャリアと前記駆動プレートとは前記駆動源により駆動される単一の駆動ギアに噛合いしていることをことを特徴としている。
【０００９】
請求項５記載の発明は、前記回動軸は前記カートリッジ搬送機構により搬送されるカートリッジの中心よりも一側部側に設けられ、前記駆動プレートと前記回動シャーシとの係合部分は他側部側に設けられていることを特徴としている。
【００１０】
請求項６記載の発明は、前記回動シャーシの他側部側に、係合ピンを設け、前記駆動プレートには、前記回動シャーシに設けた係合ピンが係合可能な傾斜溝を設けると共に、前記回動シャーシの回動方向と略直角な方向に往復動可能として、前記駆動プレートの往復動に伴って、前記回動シャーシの係合ピンが前記駆動プレートの傾斜溝に沿って上下動することによって、前記回動シャーシが前記カートリッジホルダに対して回動するようにしたことを特徴としている。
【００１１】
【作用】
請求項１記載の発明では、略矩形状のカートリッジ内に収納されたディスク状記録媒体を装置内のターンテーブル上に担持せしめる機構を備えるディスクプレーヤであって、カートリッジに設けられたシャッターのスライド方向と略平行な方向に前記カートリッジを搬送するカートリッジ搬送機構と、前記ターンテーブルを有して前記ディスク状記録媒体をこのターンテーブル上に担持すべく回動し、その回動軸が前記カートリッジを搬送する方向と略平行な方向の軸である回動シャーシとを備えているので、ディスクプレーヤのカートリッジのローディング部と回動シャーシとの動作範囲を最小限にすることができて、限られた空間を最大限に活用することができる。しかも、カートリッジホルダの構造を簡単なものとすることができ、カートリッジホルダを更に小型化することが可能となる。
【００１２】
請求項３記載の発明では、カートリッジ搬送機構と回動シャーシの駆動機構との駆動源は単一であるので、駆動部品を削減して最小限に構成することができる。そして、低コストにディスクプレーヤを構成することができる。
【００１３】
請求項４記載の発明では、前記カートリッジ搬送機構は前記カートリッジに係合してこれを搬送するキャリアを備え、前記回動シャーシの駆動機構は前記回動シャーシに係合してこれを回動する駆動プレートを備え、前記キャリアと前記駆動プレートとは前記駆動源により駆動される単一の駆動ギアに噛合いしているので、駆動系を動作させる複雑な駆動動作部品を採用することがなくなり、簡単な部品で駆動系を簡素に動作させることができる。
【００１４】
請求項５記載の発明では、前記回動軸は前記カートリッジ搬送機構により搬送されるカートリッジの中心よりも一側部側に設けられ、前記駆動プレートと前記回動シャーシとの係合部分は他側部側に設けられているので、上記カートリッジホルダの他側部側に駆動系を集約することができて、部品配置が効率良く行えるようになると共に、上記カートリッジホルダを更に簡素な構造とすることができる。そして、ディスクプレーヤを更に小型化することができる。
【００１５】
請求項６記載の発明では、前記回動シャーシの他側部側に、係合ピンを設け、前記駆動プレートには、前記回動シャーシに設けた係合ピンが係合可能な傾斜溝を設けると共に、前記回動シャーシの回動方向と略直角な方向に往復動可能として、前記駆動プレートの往復動に伴って、前記回動シャーシの係合ピンが前記駆動プレートの傾斜溝に沿って上下動することによって、前記回動シャーシが前記カートリッジホルダに対して回動するようにしているので、駆動系の構造が簡単となり、動作部品を大幅に削減することができる。
【００１６】
【発明の実施の形態】
以下、図示実施例により本発明の詳細を説明する。
図１乃至図３は、本発明実施例によるディスクプレーヤを説明する説明図であり、図１において、ディスクプレーヤ１０のカートリッジホルダ２０の内側には、上記カートリッジホルダ２０の左右中心線よりもカートリッジ４０の挿入方向右側となる一側部側に、回動支点を設けて、回動自在に軸支された回動シャーシ３０が取り付けられている。また、上記カートリッジホルダ２０の左右中心線よりもカートリッジ４０の挿入方向左側となる他側部側には、カートリッジ４０を搬送するカートリッジ搬送機構５０と、上記回動シャーシ３０を回動駆動する駆動機構６０と、これらを駆動する駆動源としての駆動モータ７０とが、備えられている。
【００１７】
詳述すると、上記カートリッジホルダ２０は枠体形状を成すものであって、そのカートリッジホルダ２０の前面側には、適宜大きさの開口部２１が設けられており、この開口部２１からディスク状記録媒体４１を収納した略矩形状のカートリッジ４０が、上記カートリッジホルダ２０の内部に向かって挿入されたり、或いは脱着されたりするようになっている。
この時、上記カートリッジ４０のディスク状記録媒体４１を保護するシャッター４２は、上記カートリッジホルダ２０の一側部側に位置するようになっていて、上記シャッター４２のスライド方向は、上記カートリッジ４０の挿脱方向と一致している。
また、上記カートリッジホルダ２０の一側部側の側面には、複数の保持溝２２が形成されており、後述する回動シャーシ３０の複数のヒンジ部３１が、上記カートリッジホルダ２０の内側からそれぞれ挿入されて支持するようになっていると共に、そのヒンジ部３１まわりに上記回動シャーシ３０を回動するようにした疑似的な回動軸Ｘが設けられている。
そのため、上記カートリッジ４０の左右中心線よりもカートリッジ４０の挿入方向右側に、上記回動シャーシ３０の回動軸Ｘが位置するようになり、左右中心線よりもカートリッジ４０の挿入方向左側には、上記カートリッジ搬送機構５０と駆動機構６０及び駆動モータ７０とが位置するようになる。
【００１８】
図２に示すように、上記回動シャーシ３０はフレーム形状であって、一側部側には、複数のヒンジ部３１が、外側に向かって水平方向に突出させてあり、前記ヒンジ部３１を上記カートリッジホルダ２０の内側から上記保持溝２２に挿入した状態で保持させて、カートリッジホルダ２０内部で上記回動シャーシ３０が回動可能となるようになっている。また、他側部側には、後述する傾斜溝６４に係合する係合ピン３２が、外側に向かって水平方向に突出させて設けてある。
【００１９】
上記回動シャーシ３０の中央部には、挿入されたディスク状記録媒体４１を回転駆動するターンテーブル３３が装着されており、また、上記回動シャーシ３０の後端部には、固定部材３４によって軸支された支軸３５とウォームギア３６とが、一側面側から他側面側に向けて略平行になるよう配置されると共に、上記ウォームギア３６に噛み合いながら支軸３５に摺動して、一側部側から他側部側に向けて往復平行移動する光ピックアップ３７が装着されている。この光ピックアップ３７は、上記回動シャーシ３０に取り付けられている図示しない小型モータにより回転ギア３８ａを回転させ、この回転ギア３８ａに噛み合う噛合ギア３８ｂを一端に挿着したウォームギア３６を駆動することによって往復平行移動可能としている。図中、符号３９は、レーザ光照射・集光用のレンズを示している。また、上記回動シャーシ３０には、後述する駆動プレート６１の進退移動に伴って昇降動作可能とした図示しない磁気ヘッドが装着されている。
【００２０】
上記カートリッジホルダ２０の外側の他側部側に装着されたカートリッジ搬送機構５０は、上記カートリッジ４０のシャッター４２のスライド方向と略平行な方向に上記カートリッジ４０を搬送するものであって、上記カートリッジホルダ２０の前後方向に進退自在に装着されたキャリヤ５１によって上記カートリッジ４０が搬送されるようになっている。
また、上記キャリヤ５１は、横Ｌ字形の形状をなすような基板５１ａと側板５１ｂとから形成されており、上記カートリッジホルダ２０上面の前後方向にわたって設けられているガイド溝２３に沿って往復動可能となるようになっている。
【００２１】
図３に示すように、上記キャリヤ５１の側板５１ｂは、上記カートリッジホルダ２０の他側面に沿って下向きに形成されていると共に、上記側板５１ｂの上部位置には、上記カートリッジホルダ２０の他側面に設けられている側面開口部２４からカートリッジホルダ２０内部に挿入される図示しないキャリヤロックと係止フックとが装着されている。上記キャリヤロックは、上記キャリヤ５１をカートリッジホルダ２０に対してロックするもので、カートリッジホルダ２０内にカートリッジ４０が挿入されるとロック解除して、上記キャリヤ５１を移動可能とするものである。また、係止フックは、上記カートリッジホルダ２０の一側面の一部分と係合している。
【００２２】
上記キャリヤ５１の側板５１ｂの下面には、長手方向にわたって適宜範囲のラック部５２が形成されており、後述する駆動ギヤ７５に噛み合い可能となっている。
上記側板５１ｂの上記ラック部５２と上記キャリヤロックとの略中間位置の側面には、上記ラック部５２と略平行となるようなガイド溝５３が設けられていると共に、このガイド溝５３の前端側の一部は、上記ラック部５２に向かうように前方斜め下方向に傾斜している。そして、上記ガイド溝５３に、後述する切換リング７６に設けられた上部ピン７６ａが挿通可能となるようになっている。
【００２３】
上記カートリッジホルダ２０の他側面下側には、上記回動シャーシ３０の駆動機構６０としての駆動プレート６１が前後方向に移動可能に装着されている。
上記駆動プレート６１は、駆動部６１ａと作動部６１ｂとから形成されており、上記駆動部６１ａの上面には、長手方向にわたって適宜範囲だけラック部６２が形成され、後述する駆動ギヤ７５が噛み合い可能となっている。
そして上記ラック部６２の下方位置に、このラック部６２と略平行となるようなガイド溝６３が設けられると共に、このガイド溝６３の前端側の一部は、前方斜め下方向に傾斜している。そして、後述する切換リング７６に設けられた下部ピン７６ｂが、上記ガイド溝６３に沿って挿通可能となっている。
また、上記作動部６１ｂのカートリッジホルダ２０内部側には、両端に平行溝６４ａを有する傾斜溝６４があり、この傾斜溝６４に上記回動シャーシ３０の他側部側に設けられている係合ピン３２が摺動可能に係合している。そして、上記の駆動プレート６１が長手方向に移動することによって、上記傾斜溝６４に沿って上記回動シャーシ３０の係合ピン３２が上下動するので、上記回動シャーシ３０は回動軸Ｘまわりに回動し、上記カートリッジホルダ２０に対して接離させることができるようになっている。
また、上記駆動プレート６１の図示しない一部が、上記回動シャーシ３０に装着されている、図示しない磁気ヘッドを昇降作動させるようになっている。
【００２４】
上記カートリッジホルダ２０の他側面後端位置には、上記カートリッジ搬送機構５０と上記回動シャーシ３０の駆動機構６０とを駆動する駆動源としての駆動モータ７０が取り付けられている。
上記駆動モータ７０の駆動軸７０ａには、プーリ７１が取り付けられている。そして、上記カートリッジホルダ２０の他側面側に軸支されているギアプーリ７３との間にＶベルト７２が張架されている。また、上記ギアプーリ７３と一体成形の小ギア７３ａは、上記カートリッジホルダ２０の他側面側に軸支されている大ギア７４に噛み合うように配置されている。
そして、前記大ギア７４の内側には、上記キャリヤ５１の側板の下面に設けたラック部５２と、上記駆動プレート６１の駆動部６１ａの上面に設けたラック部６２とに、噛み合わせ可能となるような駆動ギア７５が同軸に装着される。更に、上記駆動ギア７５の内側には、上部ピン７６ａと下部ピン７６ｂとを有するＯリング形状の切換リング７６を同軸上に遊嵌させておく。
上記切換リング７６の上部ピン７６ａは、上記キャリヤ５１のガイド溝５３内を挿通するように位置していると共に、上記下部ピン７６ｂは、上記駆動プレート６１のガイド溝６３内を挿通するように位置している。
また、上記大ギア７４の内周側には、図示しない半周溝が設けてあり、この半周溝の溝端で係止する突起７５ａを上記駆動ギア７５に設けるようにする。そして、上記大ギア７４が半周ほど駆動されてから上記駆動ギア７５が回転駆動されるようにしてある。
上記カートリッジホルダ２０の上面には、クランプバネ２５が下向きに取り付けられていて、挿入されたカートリッジ４０を固定支持するようになっている。
【００２５】
次に、上記構成とした本発明のディスクプレーヤ１０の動作状態について図３乃至図１０を用いて説明する。なお、図４以下は、ディスクプレーヤ１０の動作状態を説明するために構成の一部を省略して記載してあるため、構成の省略してある部分は、図１，２を参照していただきたい。
まず、図３は、ディスクプレーヤ１０のカートリッジホルダ２０にカートリッジ４０をローディングを開始する前の状態の側面図であって、上記カートリッジホルダ２０に対してキャリア５１は、図中右端に位置しており、駆動プレート６１は図中左端に位置している。この状態では、キャリア５１のラック部５２と駆動ギア７５とは、噛み合っている。また、駆動プレート６１のラック部６２と上記駆動ギア７５とは、まだ噛み合っていない。
この時、切換リング７６の上部ピン７６ａは、上記キャリア５１のガイド溝５３内の水平端に位置しており、また、下部ピン７６ｂは、上記駆動プレート６１のガイド溝６３内の傾斜下端に位置しており、上記上部ピン７６ａと下部ピン７６ｂとは、カートリッジ４０の挿入方向に対して、略垂直面内に位置するようになっている。
【００２６】
上記カートリッジホルダ２０の前面に設けられている開口部２１から、上記カートリッジホルダ２０内にカートリッジ４０が挿入されることにより、キャリアロックが解除されて、キャリア５１が移動可能となると共に、上記カートリッジ４０の側面の図示しない係合孔に係止フックが係止して、上記カートリッジ４０とキャリア５１とが一体となって移動するようになる。
この時、上記キャリア５１が、上記カートリッジホルダ２０の後方にガイド溝２３に沿って移動することにより、駆動モータ７０の図示しない回転スイッチが入って、上記駆動モータ７０が回転駆動される。
この駆動モータ７０の始動による回転は、プーリ７１，Ｖベルト７２，ギヤプーリ７３，小ギヤ７３ａ，大ギヤ７４へと伝達される。すると、前記大ギア７４が半回転ほどしてから上記駆動ギア７５が回転し始める。
この時、上記切換リング７６の上部ピン７６ａは、上記キャリア５１のガイド溝５３内の水平部を挿通している状態であって、上記切換リング７６は回転移動していない（図４及び図９参照）。
【００２７】
上記駆動モータ７０の回転駆動により上記キャリア５１が後方に移動してくると、やがて切換リング７６の上部ピン７６ａは、水平状態のガイド溝５３から下降しているガイド溝５３の溝面に摺接を開始する。そして、下降しているガイド溝５３に沿って、上記上部ピン７６ａが円周方向に移動させられ始め、同時に上記切換リング７６の下部ピン７６ｂが、図中反時計方向に円弧運動することによって、下部ピン７６ｂがガイド溝６３の傾斜部を押圧するので、上記駆動プレート６１を図中右方向に適宜移動させる。すると、移動した上記駆動プレート６１のラック部６２が上記駆動ギヤ７５と噛み合いだして、上記駆動プレート６１を図中右方向に移動させる。
すると、上記切換リング７６が図中反時計方向に更に円弧運動をし、上記上部ピン７６ａの移動に伴って、上記駆動ギア７５に噛み合っていた上記キャリア５１のラック部５２がガイド溝５３の傾斜部に沿って移動し上記駆動ギア７５から離脱して、上記キャリア５１の移動が停止される。この時、上記上部ピン７６ａは、上記ガイド溝５３の他端に位置しており、上記キャリア５１の移動に伴って、既にカートリッジ４０はカートリッジホルダ２０内の所定位置までの搬送が終了している。
【００２８】
その後も、上記駆動プレート６１は更に移動されるので、上記駆動プレート６１の駆動部６１ａに設けてある傾斜溝６４に沿って、上記回動シャーシ３０の係合ピン３２が上方向に移動し始める。すると、上記回動シャーシ３０が上記カートリッジホルダ２０の保持溝２２を回動支点とした回動運動をして、上記回動シャーシ３０が、上記カートリッジホルダ２０に対して回動・近接されてカートリッジホルダ２０内に挿入されているカートリッジ４０に対してクランプする（図６，７及び図１０参照）。
【００２９】
そして、上記回動シャーシ３０によるクランプが終了すると、図示しないスイッチにより駆動モータ７０の回転が停止されると共に、上記駆動プレート６１の移動も停止されて、カートリッジ４０内のディスク状記録媒体４１の再生が行われると共に、クランプバネ２５が上記カートリッジ４０の上面を圧着して圧着力を発生させる。また、この時、上記カートリッジホルダ２０の図示しない一部も、上記カートリッジ４０の上面の一部を圧着して上記カートリッジ２０を圧着する（図７参照）。
【００３０】
上記ディスク状記録媒体４１に録音する場合は、停止している上記駆動モータ７０を更に回転駆動させて、上記駆動プレート６１を更に図中右方向に移動させることによって、上記駆動プレート６１の一部が、上記回動シャーシ３０に装着されている磁気ヘッドを下降作動させる。そして、上記カートリッジ４０のシャッター４２が、スライドして開放状態のディスク状記録媒体４１上に磁気ヘッドを載置させることによって、ディスク状記録媒体４１を録音可能とする（図８参照）。
【００３１】
上記カートリッジホルダ２０からカートリッジ４０を離脱させるには、上記の手順を逆に辿っていけばよい。
先ず、ディスクプレーヤ１０の図示しない停止ボタンを作動させて、ディスク状記録媒体４１の再生・録音を停止させる。次に、図示しないイジェクトボタンを作動させることによって、上記駆動モータ７０を逆回転始動させて、上記駆動プレート６１を逆方向に、つまり図中左方向に移動させる。すると、上記回動シャーシ３０が下降を始めて、上記カートリッジホルダ２０から離脱する。
そうした上記駆動プレート６１の移動に伴って、切換リング７６の下部ピン７６ｂは、水平状態のガイド溝６３から下降しているガイド溝６３の溝面に摺接を開始する。そして、下降しているガイド溝６３に沿って、上記下部ピン７６ｂが円周方向に移動させられ始める。すると、上記下部ピン７６ｂの移動に伴って、上記切換リング７６が図中時計方向に円弧運動をする。そして、切換リング７６が円周方向に移動することによって、前記駆動ギア７５は、キャリア５１のラック部５２に噛み合い始めると共に、上記駆動プレート６１のラック部６２が駆動ギア７５から離脱し、キャリア５１を図中右方向に移動させる。そして、上記カートリッジ４０はカートリッジホルダ２０の開口部２１から排出されると共に、上記キャリア５１は、キャリアロックによってカートリッジホルダ２０に係止されて、一連の動作が終了する。
【００３２】
このような実施例によれば、上記駆動プレート６１と回動シャーシ３０とを駆動する駆動系を上記カートリッジホルダ２０の他側部側に集約することができて、駆動系の動作部品を小型化、集約化することができる。
また、上記駆動プレート６１を往復動させるだけで、上記駆動プレート６１に設けられている傾斜溝６４に沿って上記回動シャーシ３０の係合ピン３２を上下動させることができるので、上記回動シャーシ３０をカートリッジホルダ２０に対して回動させる構造を簡単に形成することができる。
【００３３】
なお、上記実施例では、上記カートリッジ４０の左右中心線よりも右側に上記回動シャーシ３０の回動軸Ｘを位置させているが、前記回動軸Ｘは、上記カートリッジ４０の左右中心線よりも左側に位置させてもよい。その場合、上記カートリッジ搬送機構５０と駆動機構６０及び駆動モータ７０とは、上記カートリッジ４０の左右中心線よりも右側に位置させるようにする。
【００３４】
【発明の効果】
以上の実施例からも明らかなように、請求項１記載の発明によれば、カートリッジに設けられたシャッターのスライド方向と略平行な方向に前記カートリッジを搬送するカートリッジ搬送機構と、前記ターンテーブルを有して前記ディスク状記録媒体をこのターンテーブル上に担持すべく回動し、その回動軸が前記カートリッジを搬送する方向と略平行な方向の軸である回動シャーシとを備えているので、ディスクプレーヤのカートリッジのローディング部と回動シャーシとの動作範囲を最小限にすることができて、限られた空間を最大限に活用することができる。  しかも、カートリッジホルダの構造を簡単なものとすることができ、カートリッジホルダを更に小型化することが可能となる。
【００３５】
請求項３記載の発明によれば、カートリッジ搬送機構と回動シャーシの駆動機構との駆動源は単一であるので、駆動部品を削減して最小限に構成することができる。そして、低コストにディスクプレーヤを構成することができる。
【００３６】
請求項４記載の発明によれば、前記カートリッジ搬送機構は前記カートリッジに係合してこれを搬送するキャリアを備え、前記回動シャーシの駆動機構は前記回動シャーシに係合してこれを回動する駆動プレートを備え、前記キャリアと前記駆動プレートとは前記駆動源により駆動される単一の駆動ギアに噛合いしているいるので、駆動系を動作させる複雑な駆動動作部品を採用することがなくなり、簡単な部品で駆動系を簡素に動作させることができる。
【００３７】
請求項５記載の発明によれば、前記回動軸は前記カートリッジ搬送機構により搬送されるカートリッジの中心よりも一側部側に設けられ、前記駆動プレートと前記回動シャーシとの係合部分は他側部側に設けられているので、上記カートリッジホルダの他側部側に駆動系を集約することができて、部品配置が効率良く行えるようになると共に、上記カートリッジホルダを更に簡素な構造とすることができる。そして、ディスクプレーヤを更に小型化することができる。
【００３８】
請求項６記載の発明によれば、前記回動シャーシの他側部側に、係合ピンを設け、前記駆動プレートには、前記回動シャーシに設けた係合ピンが係合可能な傾斜溝を設けると共に、前記回動シャーシの回動方向と略直角な方向に往復動可能として、前記駆動プレートの往復動に伴って、前記回動シャーシの係合ピンが前記駆動プレートの傾斜溝に沿って上下動することによって、前記回動シャーシが前記カートリッジホルダに対して回動するようにしているので、駆動系の構造が簡単となり、動作部品を大幅に削減することができる。
【図面の簡単な説明】
【図１】本発明のディスクプレーヤの一実施例の形態に係わる概略正面図である。
【図２】本発明のディスクプレーヤの回動シャーシの要部構成を説明するための正面図である。
【図３】図１の側面図である。
【図４】本発明のディスクプレーヤにおけるカートリッジのローディング状態を示す概略側面図である。
【図５】本発明のディスクプレーヤにおけるラック切換時の状態を示す概略側面図である。
【図６】本発明のディスクプレーヤにおけるクランプ開始時の状態を示す概略側面図である。
【図７】本発明のディスクプレーヤにおける再生時の状態を示す概略側面図である。
【図８】本発明のディスクプレーヤにおける録音時の状態を示す概略側面図である。
【図９】本発明のディスクプレーヤにおける回動シャーシの動作を説明する概略正面図である。
【図１０】本発明のディスクプレーヤにおける回動シャーシの動作を説明する概略正面図である。
【図１１】従来のディスクプレーヤのローディング形態を説明する説明図である。
【符号の説明】
１０    ディスクプレーヤ
２０    カートリッジホルダ
２２    保持溝
２３    ガイド溝
３０    回動シャーシ
３１    ヒンジ部
３２    係合ピン
３３    ターンテーブル
３５    支軸
３７    光ピックアップ
３９    レーザ光照射・集光用レンズ
４０    カートリッジ
４１    ディスク状記録媒体
４２    シャッター
５０    カートリッジ搬送機構
５１    キャリア
５２    ラック部
５３    ガイド溝
６０    駆動機構
６１    駆動プレート
６２    ラック部
６３    ガイド溝
６４    傾斜溝
７０    駆動モータ
７５    駆動ギア
７６    切換リング
７６ａ  上部ピン
７６ｂ  下部ピン
Ｘ      回動軸
【図１】
0003556088.tif 000002
【図２】
0003556088.tif 000003
【図３】
0003556088.tif 000004
【図４】
0003556088.tif 000005
【図５】
0003556088.tif 000006
【図６】
0003556088.tif 000007
【図７】
0003556088.tif 000008
【図８】
0003556088.tif 000009
【図９】
0003556088.tif 000010
【図１０】
0003556088.tif 000011
【図１１】
0003556088.tif 000012